(57)【要約】      （修正有）【課題】付け襟のシャツへの装着を簡便・確実にすると同時に、シャツの襟の形状に滑らかに適合させ、従来以上にファッション性をもたせ、バラエティに富んだ付け替えを楽しめる吸汗及び汚れ防止用生地で樹脂製カラーを包んだ簡易装着付け襟を提供する。【解決手段】襟台の大きさを短辺方向に2倍にし、襟の山部分の厚みを加えて、その厚さ分を２ヵ所くりぬいたプラスチック薄板素材をカラーとし、これを長辺方向に約２倍の布地で袋状に接着または縫合の上くるみ製品化の上、短辺の半分の位置で袋の合わせ目が内側になるよう折り返し、シャツの襟に正面から見て均等に装着する。使用者には布地の面しか見えなくし、ユーザーの趣向・需要傾向を考慮した意匠決定及び素材選択の自由度を向上させる。【選択図】図５
0003177162.tif 000002
【実用新案登録請求の範囲】
【請求項１】
二つ折りにしたプラスチックを、シャツ襟の曲面にかぶせても滑らかに適合するよう、折り目の山の部分と内側曲面に切り込みを入れたカラー本体素材の形状を特徴とする、吸汗と汚れ防止用ファッション襟ガード。
【請求項２】
請求項１に記載のカラー本体を包む布地の、スリット入り袋状形態を特徴とする、吸汗と汚れ防止用ファッション襟ガード。
【請求項３】
請求項１、２に記載の構成によって、布地表面意匠及び布地素材選択が自由になったことを特徴とする、吸汗と汚れ防止用ファッション襟ガード。
【考案の詳細な説明】
【技術分野】
【０００１】
本考案は標準的なワイシャツなどの襟の部分に、プラスチック板を芯にくるんだ布をかぶせ、吸汗及びシャツへの汚れ移りを防ぐとともに、襟元のファッション性をも考慮した繰り返し使用可能な付け襟に関する。
【背景技術】
【０００２】
従来の付け襟の装着方法は、粘着テープや磁石を用いるものが主で、多くは１回だけの使用しかできなかったり、装着後にズレが生じてはずれたり、首元の違和感を覚える場合があった。
【先行技術文献】
【特許文献】
【０００３】
特開２００１−２６２４０１号
【非特許文献】
【０００４】
実開Ｈ５−２７００２号
【考案の概要】
【考案が解決しようとする課題】
【０００５】
本考案はシャツ襟への装着を簡便にすると同時に、シャツ襟の形状に滑らかに適合させようとするものである。
【０００６】
従来は装着対象となるシャツの布地に類似した生地や柄を付け襟にも用いていたが、これにファッション性をもたせ、バラエティに富んだ付け替えを楽しむことに供するものである。
【課題を解決するための手段】
【０００７】
シャツの襟台と同じ長さで、幅を２倍プラス５ミリとした、張力と柔軟さを備えたプラスチック薄板素材をカラーとして用意し、この短辺方向の中央を結ぶ線上に、図１のように長方形の穴を２カ所あける。
【０００８】
カラーの首にあたる側には２カ所切れ目を入れ、襟の内と外とで生ずるカーブの度合いのズレを解消する。
【０００９】
用意したカラーを、その長辺の約２倍の長さ及びほぼ同一幅の布地で、カラーの長辺方向左右中央に布地の短辺の合わせ目が来るようにくるみ、布地を袋状に接着または縫合する。
【００１０】
袋状にした布地の中にカラーを合わせ目の開いた部分から挿入し、袋状の布地に均等に適合させたら、短辺の半分の位置で合わせ目が内側になるよう折り返し、これをシャツ襟の山の部分に正面から見て左右均等にかぶせ装着する。
【考案の効果】
【００１１】
本考案により粘着テープや磁石など取り扱いに難のある素材を用いることなく、気軽に付け襟の付け替えをバリエーション豊かなファッションとして楽しめる製品となった。
【００１２】
カラーは袋状の布地からいつでも取り出せるので、布地をクリーニングして何度でも繰り返し使用が可能になった。
【図面の簡単な説明】
【００１３】
【図１】本考案のカラーに用いるプラスチック素材の平面図である。
【図２】カラーをくるむ布地の大きさを示した図面である。
【図３】布地を袋状にしその中にカラーが入った状態を示した図面である。
【図４】カラーの実際の使用形状を示した図面である。
【図５】外側になる布地の実際の形状を、その内側にあるカラーと共に示した図面である。
【図６】布地には様々な意匠をこらすことができることを示した図面である。
【実施例】
【００１４】
ファッション性を重視する場合は、図６のように様々な意匠を本製品に与える。
【００１５】
実際の用途によっては、吸汗・汚れ防止に特化した白無地タオルなどの素材重視の製品化も考慮する。
【００１６】
既存の市販シャツを販売する際の型くずれ防止のために本考案のカラー部分を使用し、これにオプションとして本考案の布地部分を添えて、ファッション性を備えた付加価値とすることも可能となる。
【図１】
0003177162.tif 000003
【図２】
0003177162.tif 000004
【図３】
0003177162.tif 000005
【図４】
0003177162.tif 000006
【図５】
0003177162.tif 000007
【図６】
0003177162.tif 000008
【手続補正書】
【提出日】平成24年3月8日(2012.3.8)
【手続補正２】
【補正対象書類名】明細書
【補正対象項目名】００１３
【補正方法】変更
【補正の内容】
【００１３】
【図１】本考案に用いる樹脂製カラーの平面図である。
【図２】カラーを包む布地の大きさと包み方を示した図面である。
【図３】布地で包んだカラーを二つに折り曲げる要領を示した図面である。
【図４】全体の仕上がり形状とカラーのみの仕上がり形状を示した図面である。
【図５】出来上がった付け襟を実際にＹシャツに装着する要領を示した図面である。
【図６】布地には多様な意匠をこらすことができることを示した図面である。
【手続補正３】
【補正対象書類名】実用新案登録請求の範囲
【補正対象項目名】全文
【補正方法】変更
【補正の内容】
【実用新案登録請求の範囲】
【請求項１】
Ｙシャツ販売時の型くずれ防止に用いられる樹脂製カラーの短辺を２倍にし、長辺方向の中心線を軸として逆Ｖ字型に折り曲げ、山の部分と首側の面に切り込みを設け、シャツ襟の曲面に滑らかに適合させた上、カラー本体を吸汗性のある布素材で包んで、襟をはさむように迅速にかぶせ、襟回りの汗取りと汚れ防止をも可能にしたことを特徴とする、吸汗及び汚れ防止用布地で樹脂製カラーを包んだ簡易装着付け襟。
【請求項２】
請求項１に記載の樹脂製カラーを包む布地を袋状とし、一箇所にカラーの差込み口を設け、複数の布地を交互に取り替えて洗濯などの便に供するよう考慮したことを特徴とする、請求項１に記載の吸汗及び汚れ防止用布地で樹脂製カラーを包んだ簡易装着付け襟。
【請求項３】
請求項１、２に記載の構成によって、元となるシャツの素材や意匠に制限されることなく、布地そのものの素材や意匠の自由選択が可能になり、ファッション性、機能性を付加しやすくなったことを特徴とする、請求項１に記載の吸汗及び汚れ防止用布地で樹脂製カラーを包んだ簡易装着付け襟。
【手続補正４】
【補正対象書類名】図面
【補正対象項目名】全図
【補正方法】変更
【補正の内容】
【図１】
0003177162.tif 000009
【図２】
0003177162.tif 000010
【図３】
0003177162.tif 000011
【図４】
0003177162.tif 000012
【図５】
0003177162.tif 000013
【図６】
0003177162.tif 000014
【手続補正書】
【提出日】平成24年5月28日(2012.5.28)
【手続補正１】
【補正対象書類名】実用新案登録請求の範囲
【補正対象項目名】全文
【補正方法】変更
【補正の内容】
【実用新案登録請求の範囲】
【請求項１】
Ｙシャツ販売時の型くずれ防止に用いられる樹脂製カラーの短辺を２倍にし、長辺方向の中心線を軸として逆Ｖ字型に折り曲げ、山の部分と首側の面に切り込みを設け、シャツ襟の曲面に滑らかに適合させた上、カラー本体を吸汗性のある布素材で包んで、襟をはさむように迅速にかぶせ、襟回りの汗取りと汚れ防止をも可能にしたことを特徴とする、吸汗及び汚れ防止用布地で樹脂製カラーを包んだ簡易装着付け襟。
【請求項２】
前記の樹脂製カラーを包む布地を袋状とし、一箇所にカラーの差込み口を設け、複数の布地を交互に取り替えて洗濯などの便に供するよう考慮したことを特徴とする、請求項１に記載の吸汗及び汚れ防止用布地で樹脂製カラーを包んだ簡易装着付け襟。